(57)【要約】【課題】蓋の開放状態を維持できるようにして、箱を組立容易とする。【解決手段】１枚のブランクからなり、底板１の前後端に前後側板２，３を連設し、その両側板２，３上縁に主蓋板４又は副蓋板５を連設し、前記底板１の両側縁及び主蓋板４の両側縁に左右側板６，７を連設して、それぞれ内側に折り曲げて箱１０を構成する。副蓋板５は、その後縁近くに横方向全長に亘る折目線ｒが形成されて、主蓋板４に全周囲をミシン目ａで囲んで設けられた開放片８に貼り合わされている。副蓋板５を折目線ｒを介して起立すると、開放片８が主蓋板４から切り取られて箱が開放される。前記ミシン目ａの一部は、前記副蓋板５の折目線ｒの同一線上に沿って形成され、副蓋板５の折目線ｒから前方には切り目ｂにより固定片１１が形成され、開放片８の後縁には後方に延びる係止片１２が形成され、副蓋板５を起立時に固定片１１先端縁が係止片１２上面に当接して起立状態を維持する。【選択図】  図２
2004299732.tif 000002
【特許請求の範囲】
【請求項１】
底板１の前後端にそれぞれ折目線ｒを解して前後側板２，３を連設し、さらにその両側板２，３の上縁にそれぞれ折目線ｒを介して主蓋板４又は副蓋板５を連設し、前記底板１の両側縁又は主蓋板４の両側縁に折目線ｒを介して左右の側板６，７，６’，７’を連設し、前記副蓋板５は、その後縁近くに横方向全長に亘る折目線ｒが形成されて、その折目線ｒを介し起伏可能となり、前記主蓋板４には全周囲がミシン目ａで囲まれた開放片８が形成された１枚のブランクからなり、
前記底板１に対し、各側板が折目線ｒを介して立ち上げられ、前側板２に対し主蓋板４が折目線ｒを介して内側に折り曲がるとともに、後側板５に対し、副蓋板５が折目線ｒを介し内側に折り曲げられて前記主蓋板４上面に重ねられて開放片８に貼り合わされており、
前記副蓋板５を前記横方向全長に亘る折目線ｒを介して起立すると、その副蓋板５に貼り合わされた開放片８がミシン目ａを介して主蓋板４から切り取られて開放される紙製箱において、
前記開放片８周囲のミシン目ａの一部は、前記副蓋板５の横方向の折目線ｒにその同一線上に沿って形成されており、
前記副蓋板５の前記横方向の折目線ｒから前方には、切り目ｂにより固定片１１が形成され、開放片８の後縁には前記固定片１１に対応する後方に延びる係止片１２が形成されており、
前記副蓋板５を起立させた際、副蓋板５の固定片１１の先端縁が開放片８の係止片１２の上面に当接して、その副蓋板５の起立状態を維持することを特徴とする紙製箱。
【請求項２】
請求項１に記載の紙製箱において、前記係止片１２は、開放片８に代えて副蓋板５に切り目ｄにより設けられ、その副蓋板５の前記横方向の折目線ｒから後方に延びるように形成されており、前記固定片１１は、副蓋板５に代えて主蓋板４に前記ミシン目ａにより設けられ、前記係止片１２に対応するよう前記副蓋板５の前記横方向の折目線ｒよりも前方に延びるように形成されていることを特徴とする紙製箱。
【発明の詳細な説明】
【０００１】
【発明の属する技術分野】
この発明は、菓子などを収容する蓋付きの紙製箱に関するものである。
【０００２】
【従来の技術】
従来の蓋付きの紙製箱として、例えば、特許文献１に記載のものがあり、この紙製箱２０は、図１０に示すように、底板２１に対し前後側板２２，２３及び左右側板２６’，２７’が立ち上げられ、前側板２２の上端縁に連設された主蓋板２４が、その主蓋板２４の上端縁の折目線ｒを介して内側に折り曲げられる。また、後側板２３の上端縁に連設された副蓋板２５が、その後側板２３の上端縁の折目線ｒを介して内側に折り曲げられて、さらに、その副蓋板２５の前端にある前壁３０が折目線ｒを介し下方に折り曲げられ、その前壁３０が前側板２２に重ねられる。前記前後側板２２，２３の両側縁には、舌片２９が連設されており、その舌片２９を折目線ｒを介して内側に折り曲げて、その状態で、前記左右側板２６’，２７’、及び、主蓋板２４から立ち上げられた左右側板２６，２７を重ねて閉じてそれぞれ張り合わせ、箱体２０を成す。
【０００３】
前記主蓋板２４から前側板２２にかけて、ミシン目ａで後方を除く３方を囲まれた開放片２８が設けられ、その開放片２８外面は、副蓋板２５及び前壁３０の内面に貼り合わされる。
【０００４】
副蓋板２５には、その後端近くの前記後側板２３上端縁と前記開放片２８の後端縁との間に位置して、横方向全長に亘る折目線ｒが設けられ、その副蓋板２５には、前記横方向全長に亘る折目線ｒよりも後方へ突出する係止片３２が切り目線ｅにより形成されており、前記係止片３２が前記主蓋板２４上面に重なりあうようになっている。
【０００５】
図９に示すように、副蓋板２５及び開放片２８を、前記横方向の折目線ｒを介して主蓋板２４から起立させることにより、前記開放片２８が前記ミシン目ａを介して主蓋板２４及び前壁２５から切り取られて、箱体２０が開放する。このとき、後方へ突出した前記係止片３２の先端が、前記主蓋板２４の上面へ当接しながらその当接部分を押し下げて、箱体の後方から前方へ向かって移動し、やがて開放片２８の開度が主蓋板２４に対して９０°を超えると、主蓋板２４の復元力により係止片３２が押し上げられる。この押し上げにより、開放片２８が後方へ傾くように付勢されて、副蓋板２５及び開放片２８の起立状態が維持される。
【０００６】
【特許文献１】
特開平１１−３２１８５５号公報
【０００７】
【発明が解決しようとする課題】
この紙製箱では、係止片３２は、副蓋板２５に設けられ、その係止片３２の先端が主蓋板２４上面に当接して、その主蓋板２４を、図９に示す矢印の方向へ押し下げる。このため、前記副蓋板２５の開閉を繰り返すと、その主蓋板２４の係止片３２による当接部分が、図中に破線ｆで示すように、底板２１側へ下がった状態に歪んでしまうことがある。
【０００８】
上記のように主蓋板２４が歪んでしまうと、主蓋板２４は、前記係止片３２を押し上げる力が弱くなるので、副蓋板２５及び開放片２８の起立状態が維持されにくくなる。
【０００９】
そこで、この発明は、蓋板の開閉を繰り返した際に、その蓋板の開放状態を維持する機能が弱くならないようにすることを課題とする。
【００１０】
【課題を解決するための手段】
上記の課題を解決するために、この発明の紙製箱は、１枚のブランクからなり、底板の前後端にそれぞれ折目線を介して前後側板を連設し、さらにその両側板の上縁にそれぞれ折目線を介して主蓋板又は副蓋板を連設し、前記底板の両側縁又は主蓋板の両側縁に折目線を介して左右の側板を連設する。前記副蓋板は、その後縁近くに横方向全長に亘る折目線が形成されて、その折目線を介し起伏可能となり、前記主蓋板には全周囲がミシン目で囲まれた開放片が形成される。
【００１１】
前記底板に対し、各側板が折目線を介して立ち上げられ、前側板に対し主蓋板が折目線を介して内側に折り曲がるとともに、後側板に対し、副蓋板が折目線を介し内側に折り曲げられて前記主蓋板上面に重ねられて開放片に貼り合わされている。
【００１２】
その開放片周囲のミシン目の一部は、前記副蓋板の横方向の折目線にその同一線上に沿って形成されており、前記副蓋板の前記横方向の折目線から前方には、切り目により固定片が形成され、開放片の後縁には前記係止片に対応する後方に延びる係止片が形成されている。このため、前記副蓋板を前記横方向全長に亘る折目線を介して起立すると、その副蓋板に貼り合わされた開放片が、ミシン目を介して主蓋板から切り取られ、箱が開放されるとともに、主蓋板の固定片の先端縁が、開放片の係止片の上面に当接して、その副蓋板の起立状態を維持する。
【００１３】
起伏可能な係止片が上下反転して、その上面が、水平な固定片の先端に当接することにより、副蓋板の開放状態となるので、係止片は、前記固定片及び主蓋板をあまり押し下げることなく開放状態に移行できる。このため、副蓋板の開閉が軽やかになるとともに、主蓋板に歪みを発生させにくい。
【００１４】
また、箱を構成するブランクを紙製としているので、係止片、固定片同士の係わり合いが弾性をもってなされ、副蓋板及び開放片を軽く開閉できる。
【００１５】
さらに、上記の構成の紙製箱において、前記係止片は、前記開放片に代えて副蓋板に切り目により設けられ、その副蓋板の前記横方向の折目線から後方に延びるように形成し、前記固定片は、前記副蓋板に代えて主蓋板に前記ミシン目により設けられ、前記係止片に対応するよう前記副蓋板の前記横方向の折目線よりも前方に延びるように形成した構成も採用し得る。
【００１６】
このようにすれば、副蓋板に設けた係止片は、初回の開放動作により、主蓋板に設けた固定片を押し下げながら開放するが、一旦開放した副蓋板を閉鎖方向に回転すると、前記係止片は固定片の下方に差し込まれた状態で、副蓋板が閉鎖される。このため、２回目以降の副蓋板の開放動作では、固定片はあまり押し下げられない。
【００１７】
【発明の実施の形態】
この発明に係る紙製箱の一実施形態を図１乃至図４に示し、この実施形態の紙製箱は、図４のブランクの展開図に示すように、底板１の前後端にそれぞれ折目線ｒを介して前後側板２，３を連設し、さらにその両側板２，３の上縁にそれぞれ折目線ｒを介して主蓋板４又は副蓋板５を連設し、前記底板１の両側縁に折目線ｒを介して左右の側板６’，７’を、主蓋板４の両側縁に折目線ｒを介して左右の側板６，７を連設している。
【００１８】
前記副蓋板５は、その後縁近くに横方向全長に亘る折目線ｒが形成されて、その折目線ｒを介し起伏可能となり、前記主蓋板４には全周囲がミシン目ａで囲まれた開放片８が形成されている。また、前後側板２，３の両側縁には、折目線ｒを介して舌片９をそれぞれ連設している。
【００１９】
このブランクを、図１に示すような箱１０に組み立てるには、まず、前後側板２，３に対して舌片９を、それぞれ折目線ｒを介して内側に折り曲げ、前記底板１に対して左右側板６’，７’及び前後側板２，３を、それぞれ折目線ｒを介して立ち上げる。そして、前側板２に対して主蓋板４を折目線ｒを介して内側に折り曲げるとともに、後側板５に対して副蓋板５を折目線ｒを介して内側に折り曲げ、その副蓋板５を折り曲げられた前記主蓋板４上面に重ねて、副蓋板５の下面をその主蓋板４の開放片８の上面に貼り合わせる。また、前記主蓋板４に対して左右側板６，７を、それぞれ折目線ｒを介して内側に折り曲げ、側板６，６’と側板７，７’を、それぞれ前記舌片９を箱内に取り込んだ状態で重ねて貼り合わせることにより、箱１０となる。
【００２０】
この箱１０を開封する際には、図２に示すように、前記副蓋板５を前記横方向全長に亘る折目線ｒを介して主蓋板４から起立させる。このとき、副蓋板５に貼り合わされた前記開放片８は、前記ミシン目ａを介して主蓋板４から切り取られて副蓋板５とともに起立するので、箱１０の上面が開放する。
【００２１】
この開放片８周囲のミシン目ａのうち、後側板５側に位置する部分は、前記副蓋板５を起立させる横方向の折目線ｒに、その同一線上に沿って形成されている。このミシン目ａと折目線ｒとは、完全な同一線上にあることは求められず、若干前後に位置がずれた状態であってもよい。
【００２２】
また、副蓋板５の前記横方向の折目線ｒから前方には、切り目ｂにより固定片１１が折目線ｒから前方に突出して形成され、開放片８の後縁には、前記固定片１１に対応する後方に延びる係止片１２がミシン目ａにより突出して形成されている。
【００２３】
図３に示すように、前記副蓋板５を矢印の方向へ起立させた際、副蓋板５の固定片１１の先端縁が、上下反転した開放片８の係止片１２の上面に当接して、その副蓋板５の起立状態を維持する。このようにすれば、固定片１１と係止片１２は、相互に弾性をもって適度に撓みながら接するので、副蓋板５の開閉がスムースである。また、図示するように、固定片１１の先端縁が、ほぼ水平な状態で前記係止片１２の上面に当接して、副蓋板５を開放状態に維持するので、固定片１１が係止片１２に押し下げられる撓み度合が少なくてすむ。
【００２４】
この箱１０の副蓋板５を閉鎖する際には、図２に示す起立状態の副蓋板５を、図１に示すように主蓋板４上に伏せる。このとき、副蓋板５の前記開放片８前端縁付近に切り目線ｃが設けられ、その切り目ｃにより差込片１３が、開放片８前端縁より前方に突出して形成される。その差込片１３を、主蓋板４前縁のミシン目ａよりその主蓋板４の下方へ前方に向かって挿し入れることにより、副蓋板５が主蓋板４に係止される。このようにすれば、一旦開放した副蓋板５を、再度閉鎖してその状態で固定できる。なお、この差込片１３の機能を求めない場合には、差込片１３及び切り目線ｃを省略し得る。
【００２５】
この実施形態では、前記固定片１１及び係止片１２を、左右側板６，７の間の中程に設けたが、この実施形態には限定されず、図５及び図６に示すように、複数設けた構成を採用し得る。またその設置位置は、左右方向中程には限定されず、左右側板６，７に近い左右方向両端部に設けてもよい。
【００２６】
また、底板１の両側縁に左右側板６’，７’を、主蓋板４の両端縁に左右側板６，７を設けたが、側板を底板１又は主蓋板４のいずれか一方に設ける構成としてもよい。
【００２７】
他の実施形態として、図７及び図８に示すように、前記固定片１１を副蓋板５にではなく主蓋板４に、前記係止片１２を開放片８にではなく副蓋板５に設けるようにした構成を採用し得る。
【００２８】
図７に示すように、係止片１２は、切り目線ｄにより副蓋板５に設けられ、副蓋板５の前記横方向の折目線ｒから後方に延びるように形成されており、前記固定片１１は、前記ミシン目ａにより主蓋板４に設けられ、開放片８を切り取った状態において、その固定片１１が、前記係止片１２に対応するよう前記副蓋板５の前記横方向の折目線ｒよりも前方に延びるように形成されている。
【００２９】
図８（ａ）に示すように、前記副蓋板５を矢印の方向へ回転させると、副蓋板５は、主蓋板４の固定片１１を押し下げながら起立する。図８（ｂ）に示すように、副蓋板５が完全に開くと、固定片１１が水平状態に復帰して、その先端縁が副蓋板５の係止片１２の上面に当接して、その副蓋板５の起立状態を維持する。次に、副蓋板５を閉鎖すると、図８（ｃ）に示すように、副蓋板５が矢印の方向へ回転するとともに、前記係止片１２は、固定片１１の下方に差し込まれた状態となる。このため、一旦開封した箱１０と未開封の箱１０とは、前記固定片１１と係止片１２との上下の位置関係が異なるので、開封の有無を一目で区別しやすい。
【００３０】
また、図８（ｃ）に示すように、固定片１１は、係止片１２により上方へ押し上げられるので、固定片１１及び主蓋板４の歪みが生じにくく、その後の再度の開閉動作においては、図８（ａ）に示すように固定片１１を押し下げることなく、軽くスムースに副蓋板５を開放できる。
【００３１】
【発明の効果】
この発明は、以上のようにしたので、蓋板の開閉が軽くなり、また、開閉動作を繰り返しても、蓋板を開放状態に維持する機能が保たれる。
【図面の簡単な説明】
【図１】一実施形態の組立状態を示す斜視図
【図２】同実施形態の開蓋状態を示す斜視図
【図３】図２の要部拡大断面図
【図４】図２の展開図
【図５】他の実施形態の開蓋状態を示す斜視図
【図６】図５の展開図
【図７】他の実施形態の要部拡大図
【図８】図７の要部拡大断面図
【図９】従来例の斜視図
【図１０】図８の展開図
【符号の説明】
１，２１  底板
２，２２  前側板
３，２３  後側板
４，２４  主蓋板
５，２５  副蓋板
６，６’，２６，２６’  左側板
７，７’，２７，２７’  右側板
８，２８  開放片
９，２９  舌片
１０，２０  紙製箱
１１  固定片
１２，３２  係止片
１３，３３  差込片
２４  蓋板
３０  前壁
【図１】
2004299732.tif 000003
【図２】
2004299732.tif 000004
【図３】
2004299732.tif 000005
【図４】
2004299732.tif 000006
【図５】
2004299732.tif 000007
【図６】
2004299732.tif 000008
【図７】
2004299732.tif 000009
【図８】
2004299732.tif 000010
【図９】
2004299732.tif 000011
【図１０】
2004299732.tif 000012